(57)【要約】
【課題】  着用したときの安定性、吸汗性または保温性などの実用性が向上するとともに、衣類の外観のシルエットなどの美観性が向上するキャミソールおよびタンクトップを提供する。
【解決手段】  キャミソールは、胸部および腹部を囲むように形成された内側身頃１と、内側身頃１の周りを囲むように形成された外側身頃２ａとを備え、内側身頃１の下端の開口部１１および外側身頃２ａの下端の開口部１２を避けた位置で、内側身頃１と外側身頃２ａが接続されている。好ましくは、内側身頃１の上端と外側身頃２ａの上端とが互いに接続されている切欠き部２５，１６が形成されている。
【選択図】        図１
0003101193.tif 000002
【実用新案登録請求の範囲】
【請求項１】
胸部および腹部を囲むように形成された内側身頃と、
前記内側身頃の周りを囲むように形成された外側身頃と
を備え、
前記内側身頃の下端の開口部および前記外側身頃の下端の開口部を避けた位置で、前記内側身頃と前記外側身頃が接続された、キャミソール。
【請求項２】
前記内側身頃の上端と前記外側身頃の上端とが互いに接続された、請求項１に記載のキャミソール。
【請求項３】
前記内側身頃は、前記胸部にカップ部を有する、請求項１または２に記載のキャミソール。
【請求項４】
前記内側身頃は、伸縮性のある生地で形成された部分を含む、請求項１から３のいずれかに記載のキャミソール。
【請求項５】
胸部および腹部を囲むように形成された内側身頃と、
前記内側身頃の周りを囲むように形成された外側身頃と
を備え、
前記内側身頃の下端の開口部および前記外側身頃の下端の開口部を避けた位置で、前記内側身頃と前記外側身頃が接続された、タンクトップ。
【請求項６】
前記内側身頃の上端と前記外側身頃の上端とが互いに接続された、請求項５に記載のタンクトップ。
【請求項７】
前記内側身頃は、前記胸部にカップ部を有する、請求項５または６に記載のタンクトップ。
【請求項８】
前記内側身頃は、伸縮性のある生地で形成された部分を含む、請求項５から７のいずれかに記載のタンクトップ。
【考案の詳細な説明】
【技術分野】
【０００１】
本考案はキャミソールおよびタンクトップに関する。特に、衣類の中に着用するインナーまたは外部から見えるアウターとして着用するキャミソールおよびタンクトップに関する。
【背景技術】
【０００２】
女性用の着衣の中には、上半身の略全体を覆い、肩ひもで吊り下げる着衣であるキャミソールがある。キャミソールは、上半身に着用する婦人用の胴着である。本明細書においては、主に上半身を覆って、腕を通すための袖がなく、肩ひもで吊り下げる着衣をキャミソールという。キャミソールには、衣類の内側にインナーとして着用するものと、外部から見えるようにアウターとして着用するものがある。インナーとして着用するキャミソールは、肌触りを向上させるという機能のほかに、夏には汗を吸い、冬には防寒の機能を有する。インナーとしてのキャミソールは、季節に関係なく着用されるが、女性は腹部が冷え易いため、特に冬期において、防寒のための肌着として常用される。アウターとしてのキャミソールは、特に、夏期に着用される。キャミソールは、吸汗などの実用的な機能の他に、装飾などが施され、優美華麗な雰囲気をかもし出すという機能も有する。
【０００３】
また、キャミソールと外形が似ているものに、タンクトップがある。本明細書では、主に上半身を覆って、腕を通すための袖がなく、肩ひもの代わりに帯状の肩掛けで吊り下げる着衣をタンクトップという。タンクトップにもインナーとして着用するものと、アウターとして着用するものがある。タンクトップの吸汗や防寒の実用的な機能は、キャミソールと同様であるが、キャミソールよりくだけた感がある着衣である。
【０００４】
従来の技術におけるキャミソールを図６に示す。図６に示すキャミソールは、インナーとしてのキャミソールおよびアウターとしてのキャミソールの両方に共通な形状のものである。キャミソールは、主に上半身を覆うものであり、インナーとして着用する場合には、ペチコートなどと組み合わせて着用される。キャミソールは、身頃１０と肩ひも３とを備える。身頃１０は、上半身の全体を覆うように形成され、身頃１０の上部には、頭部を通すための切欠きが形成され、身頃１０の上部の左右両側には腕を通すための切欠きが形成されている。身頃１０の下部には、開口部１３が形成されている。開口部１３や胸部などにおいては、レースなどの装飾が施されているものもある。
【０００５】
身頃１０は、直接肌に触れるため、肌触りの良い綿などで形成されている。または、吸汗性や保温性がよい生地で形成されている。身頃１０は、１種類の生地から形成されている。肩ひも３は、キャミソールを肩に吊り下げるためのものであり、左右両側に１本ずつ形成されている。開口部１３については、下側に向かって広がっているもののほかに、下側に向かって小さくなっているものや、開口部１３の近傍に伸縮性を有する生地が使用されているものもある。
【０００６】
従来の技術におけるタンクトップの構成については、肩ひもの代わりに身頃の生地によって、帯状の肩に掛ける部分が形成されていること以外はキャミソールと同様である。以下、本明細書においては、キャミソールとタンクトップとを合わせて「キャミソール等」という。
【０００７】
キャミソール等は、一般的に、ブラジャーの上側に着用される。身頃の下端の開口部は、一般的に下半身に着用するスカートやズボン（パンツ）の中に入れられる。または、下着としてのペチコートなどの中に入れられる。インナーとしてのキャミソール等の外側には、アウターとしてのシャツなどが着用される。または、ファッション性を考慮して、アウターとしてのシャツなどの下側における開口から、キャミソール等の下側の開口部が僅かに見えるように着用される場合もある。アウターとしてのキャミソール等の場合には、内側に下着を装着してその上にキャミソール等を着用する他に、キャミソール等の外側にさらに、ジャケットなどを羽織る場合がある。
【考案の開示】
【考案が解決しようとする課題】
【０００８】
インナーとしてのキャミソール等およびアウターとしてのキャミソール等は、一般的に、内側にブラジャーを着用するため、肩の部分においては、キャミソール等の肩ひもとブラジャーの肩ひもとが並存する場合がある。左右のうち片側当たり、肩ひもが２本になるので、肩ひも同士が絡まったり、見映えが悪くなったりするという問題点があった。また、肩ひも同士や身頃同士などが互いに干渉して、ブラジャーまたはキャミソール等の着用位置がずれる、すなわち着用時の安定性が悪いという問題点があった。
【０００９】
インナーとしてのキャミソール等は、もっぱら、ワイシャツなどのアウターの内側に着用する肌着として用いられている。このため、身頃は、肌触りが良く、吸汗性または保温性に優れた生地が採用されている。しかし、これらの生地は、スカートなどの中に入れてベルトで固定した場合などに、開口部がしわになって、着心地が悪いという問題点があった。さらに、しわが生じた上にワイシャツなどのアウターを着用するため、アウター全体のシルエット（外部からみた形状や模様などのデザイン性）が崩れるという問題点があった。夏期にインナーとしてのキャミソール等を着用することは、吸汗性があるという点において有用であるが、キャミソール等の外側にさらにアウターを着用するのは暑いという問題点があった。一方で、冬期において、女性は、男性に比べて腹部がよく冷える。このため、キャミソール等はインナーとして常用される。したがって、腹部をより暖かく保温する機能を有するキャミソール等は有用である。
【００１０】
アウターとしてのキャミソール等を着用する場合には、開口部をスカートなどの中に入れると、しわになって見映えが悪いという問題点があった。特に、通気性や発汗性を重視した生地はしわになりやすく、スカートなどの外に出して着用しても、しわが生じて形状や装飾などのデザインが十分に生かされないという問題点があった。また、上記のインナーとしてのキャミソール等と同様に、複数になった肩ひもが外部から見えて見映えが悪いほかに、着用安定性が悪いという問題点があった。さらに、通気性や発汗性を重視すると、キャミソール等自体が薄手のものになり、内側が透けてしまうという問題点もあった。
【００１１】
本考案は、上記の問題点を解決するためになされたものであり、着用したときの安定性、吸汗性または保温性などの実用性が向上するとともに、衣類の外観のシルエットなどの美観性が向上するキャミソールおよびタンクトップを提供することを目的とする。
【課題を解決するための手段】
【００１２】
上記目的を達成するため、本考案に基づくキャミソール等は、胸部および腹部を囲むように形成された内側身頃と、上記内側身頃の周りを囲むように形成された外側身頃とを備え、上記内側身頃の下端の開口部および上記外側身頃の下端の開口部を避けた位置で、上記内側身頃と上記外側身頃が接続されている。この構成を採用することによって、実用性と美観性とが向上したキャミソール等を提供することができる。
【００１３】
上記考案において好ましくは、上記内側身頃の上端と上記外側身頃の上端とが互いに接続されている。この構成を採用することによって、上記キャミソール等の着用時に、上記内側身頃が自由に動ける範囲が大きくなるとともに、上記外側身頃の外観が美しくなる。
【００１４】
上記考案において好ましくは、上記内側身頃は、上記胸部にカップ部を有する。この構成を採用することによって、ブラジャーが不要になる。また、胸部を保持する安定性が向上する。また、ブラジャーが不要になるのに伴って、肩の部分においてブラジャーの肩ひもがなくなって見映えが向上する。
【００１５】
上記考案において好ましくは、上記内側身頃は、伸縮性のある生地で形成された部分を含む。この構成を採用することによって、上記キャミソール等の着用時の安定性が向上するとともに、上記伸縮性のある生地が配置されている部分を締付けてスタイルを良く見せることができる。たとえば、腹部などを締付けてスタイルをよく見せることができる。
【考案の効果】
【００１６】
本考案によれば、着用したときの安定性、吸汗性または保温性などの実用性が向上するとともに、外観のシルエットなどの美観性が向上するキャミソールおよびタンクトップを提供することができる。
【考案を実施するための最良の形態】
【００１７】
（構成）
図１から図３を参照して、本考案に基づくキャミソールについて説明する。
【００１８】
図１は、本形態におけるキャミソールの斜視図である。本形態におけるキャミソールは、内側身頃１と外側身頃２ａとを備える。内側身頃１は、胸部および腹部を囲むように形成されている。外側身頃２ａは、内側身頃１の周りを囲むように形成されている。
【００１９】
キャミソールの上部の前後には、それぞれ切欠き部１５，２５が形成されている。また、キャミソールの上部の左右両側には、それぞれ切欠き部１６が形成されている。側方の切欠き部１６は腕を通すためのものであり、前後の切欠き部１５，２５は頭部を通すためのものである。
【００２０】
側方の切欠き部１６は、キャミソールを肩に吊り下げて固定するための肩ひも３に連通している。肩ひも３は、伸縮性のあるひもで形成され、側方の切欠き部１６の前側と後側とを接続するように形成されている。
【００２１】
図２に、外側身頃の斜視図を示す。本形態における外側身頃２ａは、上端の前側に切欠き部１５ａ、後側に切欠き部２５ａを有する。また、外側身頃２ａは、上端の左右両側に腕を通すための切欠き部１６ａを有している。外側身頃２ａは、下端に開口部１２を含む。本形態においては、外側身頃２ａは、いわゆるシャリ感があってしわになりにくい生地で形成されている。
【００２２】
図３に、内側身頃１の斜視図を示す。内側身頃１は、腹部および胸部を囲むように形成されている。内側身頃１の上端には、前後に切欠き部１５ｂ，２５ｂがそれぞれ形成され、左右両側に切欠き部１６ｂが形成されている。内側身頃１は、下端に開口部１１を含む。
【００２３】
本形態における内側身頃１は、胸部を覆う上内側身頃８と腹部を覆う下内側身頃７とを含む。上内側身頃８と下内側身頃７とは、連結部６で縫合されて一体化されている。胸部を覆う部分の前側には、乳房を保持するためのカップ部５が形成されている。カップ部５は、左右両側に、１つずつ前側に山型に突出するように形成されている。カップ部５は、厚手の生地で形成されている。本形態におけるカップ部５は、カップ部５の下側にワイヤが挿入されていないボーンレスタイプのものである。腹部を覆う下内側身頃７は、ほぼ円筒形になるように形成されている。下内側身頃７は、伸縮性のある生地で形成されている。下内側身頃７の長手方向の長さは、腹部を覆うことができる長さである。
【００２４】
内側身頃１の上端の前側の切欠き部１５ｂと外側身頃２ａの上端の前側の切欠き部１５ａとは異なる形状に形成されている。一方で、内側身頃１の上端の後側の切欠き部２５ｂと外側身頃２ａの上端の後側の切欠き部２５ａとはほぼ同一の形状に形成されている。キャミソールの上部の前側の切欠き部１５においては、内側身頃１の切欠き部１５ｂおよび外側身頃２ａの切欠き部１５ａは、縫合などによって接続されておらず、それぞれが自由端になっている。一方で、キャミソールの上部の後側の切欠き部２５においては、内側身頃１の切欠き部２５ｂと外側身頃２ａの切欠き部２５ａとが縫合されている。
【００２５】
キャミソールの上部の左右両側には、側方の切欠き部１６が形成されている。内側身頃１の上端の左右両側の切欠き部１６ｂと外側身頃２ａの上端の左右両側の切欠き部１６ａとは略同一の形状に形成され、左右の両側ともに縫合されている。
【００２６】
このように、本形態におけるキャミソールは、身頃の上端で内側身頃１と外側身頃２ａとが接続されている。胸部および腹部においては、内側身頃１と外側身頃２ａとは縫合などによって互いに接続されておらず、内側身頃１の開口部１１と外側身頃２ａの開口部１２とはそれぞれ独立した自由端になっている。切欠き部１６の延長上には肩ひもが配置され、本形態においては、外側身頃２ａの切欠き部１６ａおよび内側身頃１の切欠き部１６ｂが肩ひも３に接続されている。
【００２７】
（作用・効果）
本考案に基づくキャミソールを着用する場合には、内側身頃１の下部に形成されている開口部１１を、ズボン、スカートまたはペチコートなどのボトム（下半身用の着衣）の中に入れる。外側身頃２ａの開口部１２は、ズボン、スカートまたはペチコートなどの外側に出すように着用する。
【００２８】
内側身頃１には、スカートのベルト部などの締付けによってしわが生じるが、外側身頃２ａは、締付けられる部分がなく、着用に伴うしわが生じない。よって、本考案に基づくキャミソールは、外観のシルエットを崩すことなく着用することができる。外側身頃２ａについて、インナーとして着用する場合にはレースなどの装飾や、アウターとして着用する場合にはイラストなどの装飾を施して、これらのデザイン性を崩さずに着用することができる。このように、本考案に基づくキャミソールは、美観性を向上させ、デザインを自由に楽しむことができる。また、内側身頃をスカートなどの内部に固定することによって、上部の肩ひもと下部の開口部とでキャミソールが固定されるため、着用時の安定性が向上して、着崩れなどを防止できる。
【００２９】
また、内側身頃と外側身頃とによって身頃が二重に形成されているため、内側が透けにくく、本形態のキャミソールのようにインナーおよびアウターとしての共通のデザインが施されている場合には、インナーとしてもアウターとしても使用することができる。
【００３０】
さらに、夏期などの暑い時期においては、内側身頃が汗を吸っても、汗の染みが外側に露出することを防止することができる。冬期などの寒い時期においては、キャミソールが二重になっているため、保温性が向上する。特に、本考案におけるキャミソールは、内側身頃が腹部を覆うため、腹部および腰部の冷えを防止することができる。
【００３１】
本形態におけるキャミソールは、内側身頃のうち下内側身頃に、伸縮性のある生地が用いられている。この構成を採用することにより、キャミソールの着用時の安定性が向上するとともに、腹部の締付け効果があり、女性のスタイルを良く見せるという効果を奏する。また、腹部の保温性が向上するという効果も有する。内側身頃の生地としては、伸縮性のある生地に限られず、たとえば、綿などを採用してもよい。この構成を採用することによって、肌触りがよく、着用感のすぐれたキャミソールを提供することができる。
【００３２】
外側身頃の生地としては、いわゆるシャリ感のある生地を採用している。この構成を採用することによって、しわになりにくく、外観の美観性を維持することができる。または、外側身頃は、ドレープ性を有する生地を用いることが好ましい。
【００３３】
内側身頃および外側身頃の生地については、特に、本形態に限られず、任意の生地を用いることができる。たとえば、本形態のキャミソールを冬用にする場合は、下内側身頃７の生地を厚手のものに変更しても構わないし、夏用にする場合には、吸汗性の高い生地を用いてもよい。または、美観性を向上させるために、外側身頃の生地に、あえてしわになりやすい麻の生地などを用いてもよい。
【００３４】
このように、内側身頃と外側身頃とを備えることによって、吸汗性、保温性または美観性に合わせて、それぞれの生地を変更することができる。したがって、吸汗性などの実用的な機能と美観性との両方を兼ね備えたキャミソールを提供することができる。
【００３５】
本考案としては、内側身頃の下端の開口部と外側身頃の下端の開口部を避けた位置で、内側身頃と外側身頃とが接続されていればよい。本形態においては、特に好ましいことに、キャミソール上部の左右の切欠き部１６、および後側の切欠き部２５において、内側身頃１と外側身頃２ａとが接続されている。すなわち、それぞれの身頃の上端で内側身頃と外側身頃とが接続されている。この構成を採用することによって、内側身頃が上端部以外で自由に動いてキャミソールの着用安定性が向上する。また、内側身頃と外側身頃の縫合線などの接続線が腹部などの目立った箇所に出ないため、美観性が向上する。上部の切欠き部については、左右両側の切欠き部または前後の切欠き部のうち、いずれかの少なくとも１つの切欠き部で内側身頃と外側身頃とが接続されていれば同様の効果を奏する。
【００３６】
図３において、本形態における内側身頃１には、上内側身頃８にカップ部５を含む。この構成を採用することによって、ブラジャーが不要になる。このため、ブラジャーの肩ひもが肩の部分に露出することがなく、見映えがよくなる。また、キャミソールの肩ひもとブラジャーの肩ひもとが絡まったり、ブラジャーまたはキャミソールが位置ずれを起こしたりすることを防止できる。さらに、キャミソールとブラジャーの機能とが一体的に形成されているため、従来にあったようなブラジャーのカップ部とキャミソールの胸部とのずれに起因する違和感を解消できる。
【００３７】
本形態におけるカップ部は、カップ部の下側にワイヤが挿入されていないボーンレスのタイプである。この構成を採用することによって、キャミソールの上側または下側のどちらからでも着脱をすることができる。また、手洗いせずに洗濯機で洗濯することができる。カップ部については、内側にパッドが取付けられていてもよい。パッドを取付けることによって、胸部を大きく見せることができ、さらに胸部を保持する安定性が向上する。また、パッドは、取外しが自由になるように形成し、取替えができるようにすることが好ましい。パッド受けは、表側に明らかな形状が現われないようにモールド加工が施されていることが好ましい。
【００３８】
カップ部については、胸部を中央に寄せて胸部を大きく見せることができるサイドパネル構造が採用されていてもよい。また、サイドパネルのカップ部の土台には、通気性の良いダブルラッセルが使用されていることが好ましい。このようなカップ部を備えなくても、本考案を適用することができるが、上記のようにカップ部を備えることが好ましい。
【００３９】
また、本形態におけるキャミソールは、前後の切欠き部が谷型に形成されているが、特にこの形態に限られず、前側から見たときに、ほぼ水平方向に形成されていてもよい。また、外側身頃または内側身頃に任意の装飾が施されていてもよい。
【００４０】
内側身頃の周りに外側身頃を備えることによって、内側身頃のカップ部の外観が表に出ることがない。したがって、カップ部の外観にとらわれず、カップ内蔵機能を充実させることができる。たとえば、カップ部を立体的に形成するための縫合線を内側身頃の外側に形成しても、カップ部が外側身頃で隠されるため、縫合線の外観の悪さなどを考慮せずに、機能性を重視した縫合を行なうことができる。
【００４１】
本形態においては、外側身頃の丈の長さは、内側身頃の丈の長さとほぼ同じであるが、特にこの形態に限られず、外側身頃の丈の長さが内側身頃の丈の長さよりも長くても短くても本考案を適用することができる。また、外側身頃は、下側に向かって広くなっているが、特にこの形態に限られず、下側に向かって同じ大きさであってもよいし、逆に狭くなっていてもよい。
【００４２】
上記の説明においてはキャミソールについて説明した。同様にタンクトップについても本考案を適用することができる。
【００４３】
図４に本考案を適用したタンクトップの斜視図を、図５にタンクトップの外側身頃の斜視図を示す。内側身頃は、上記のキャミソールの内側身頃１と同じである。内側身頃１を取囲むように外側身頃２ｂが形成され、上部において左右両側の切欠き部１８と後側の切り欠き部２７とで内側身頃１と外側身頃２ｂとが縫合されていることは、上記のキャミソールと同様である。また、上部の前側の切欠き部１７においては、外側身頃２ｂと内側身頃１とは、接続されておらずそれぞれ自由端である。すなわち、図５に示す外側身頃２ｂにおいては、上部の後側の切欠き部２７ａ、左右の切り欠き部１８ａは、内側身頃と縫合されているが、外側身頃２ｂの上部の前側の切欠き部１７ａは、内側身頃と縫合されておらず、自由端である。
【００４４】
タンクトップでは、キャミソールの肩ひもの代わりに、外側身頃２ｂから延在した肩掛け部４が形成されている。肩掛け部４は、幅広く帯状に形成され、前側と後側とを接続している。このように、タンクトップについても、内側身頃と外側身頃とを備え、それぞれの下端を避けた位置で内側身頃と外側身頃とが接続されていることによって、実用性と美観性が向上したタンクトップを提供することができる。
【００４５】
その他の構成、作用および効果については、キャミソールと同様であるので説明を省略する。
【００４６】
そのほか、今回開示した上記形態はすべての点で例示であって制限的なものではない。本考案の範囲は上記した説明ではなくて実用新案請求の範囲によって示され、実用新案請求の範囲と均等の意味および範囲内でのすべての変更を含むものである。
【図面の簡単な説明】
【００４７】
【図１】本考案に基づくキャミソールの斜視図である。
【図２】本考案に基づくキャミソールの外側身頃の斜視図である。
【図３】本考案に基づくキャミソールの内側身頃の斜視図である。
【図４】本考案に基づくタンクトップの斜視図である。
【図５】本考案に基づくタンクトップの外側身頃の斜視図である。
【図６】従来の技術に基づくキャミソールの斜視図である。
【符号の説明】
【００４８】
１  内側身頃、２ａ，２ｂ  外側身頃、３  肩ひも、４  肩掛け部、５  カップ部、６  連結部、７  下内側身頃、８  上内側身頃、１０  身頃、１１，１２，１３  開口部、１５，１５ａ，１５ｂ，１６，１６ａ，１６ｂ，１７，１７ａ，１８，１８ａ，２５，２５ａ，２５ｂ，２７，２７ａ  切欠き部。
【図１】
0003101193.tif 000003
【図２】
0003101193.tif 000004
【図３】
0003101193.tif 000005
【図４】
0003101193.tif 000006
【図５】
0003101193.tif 000007
【図６】
0003101193.tif 000008